(57)【要約】【課題】  ネットワーク伝送ポートを用いて画像データを出力するマザーボードを提供する。  【解決手段】  画像データを出力することができるマザーボードであって、外部画像信号を受信するように構成された画像伝送ポート、内部画像信号を提供するように構成されたオンボードビデオグラフィックアレイ（ＶＧＡ）カード、前記外部画像信号または前記内部画像信号を画像データとして選択的に用いるスイッチング回路、前記画像データまたはイーサネットネットワークデータを出力データとして選択的に用いる制御回路、および前記出力データを伝送するように構成された第１のネットワーク接続ポートを含むマザーボード。【選択図】  図１
2020198609.tif 000002
【特許請求の範囲】
【請求項１】
画像データを出力することができるマザーボードであって、
外部画像信号を受信するように構成された画像伝送ポート、
内部画像信号を提供するように構成されたオンボードビデオグラフィックアレイ（ＶＧＡ）カード、
前記外部画像信号または前記内部画像信号を画像データとして選択的に用いるスイッチング回路、
前記画像データまたはイーサネットネットワークデータを出力データとして選択的に用いる制御回路、および
前記出力データを伝送するように構成された第１のネットワーク接続ポートを含むマザーボード。
【請求項２】
前記スイッチング回路は、前記外部画像信号の差動成分または前記内部画像信号の差動成分を前記画像データとして用いる請求項１に記載のマザーボード。
【請求項３】
制御データを伝送するように構成された第２のネットワーク接続ポートをさらに含み、
前記スイッチング回路は、前記外部画像信号の制御成分または前記内部画像信号の制御成分を前記制御データとして用いる請求項２に記載のマザーボード。
【請求項４】
前記制御回路は、前記外部画像信号の制御成分または内部画像信号の制御成分を設定する請求項２に記載のマザーボード。
【請求項５】
画像データを出力することができるマザーボードであって、
外部画像信号を受信するように構成された画像伝送ポート、
前記外部画像信号またはイーサネットネットワーク信号を出力信号として選択的に用いる制御回路、および
前記出力信号を伝送するように構成された第１のネットワーク接続ポートを含むマザーボード。
【請求項６】
前記画像伝送ポートは、高解像度マルチメディアインターフェース（ＨＤＭＩ）ポートまたはデジタルビジュアルインターフェース（ＤＶＩ）ポートである請求項１または請求項５に記載のマザーボード。
【請求項７】
ＶＧＡカードを収容するように構成されたスロットをさらに含み、
前記ＶＧＡカードは、画像処理チップおよび画像出力ポートを含み、前記画像処理チップは、画像信号を生成するように構成され、
伝送ケーブルが前記画像伝送ポートと前記画像出力ポートとの間に接続された場合、前記画像信号は前記外部画像信号となる請求項１または請求項５に記載のマザーボード。
【請求項８】
前記画像データを増幅し、増幅データを生成するように構成された信号増幅回路をさらに含み、
前記制御回路は、前記増幅データを出力データとして用いる請求項１または請求項５に記載のマザーボード。
【請求項９】
前記制御回路は、前記外部画像信号の差動成分を前記画像データとして用いる請求項５に記載のマザーボード。
【請求項１０】
制御データを伝送するように構成された第２のネットワーク接続ポートをさらに含み、
前記制御回路は、前記外部画像信号の制御成分を前記制御データとして用いる請求項９に記載のマザーボード。
【請求項１１】
前記制御回路は、前記外部画像信号の制御成分を設定する請求項９に記載のマザーボード。
【請求項１２】
請求項１に記載のマザーボード、
前記第１のネットワーク接続ポートに接続されるネットワークケーブル、
前記ネットワークケーブルを介して前記出力データを受信し、前記出力データを受信するように構成されたネットワーク接続ポートと、前記出力データを増幅し、増幅データを生成する信号処理装置と、前記増幅データを出力するように構成された画像伝送ポートとを含む受信機、および
前記画像伝送ポートに接続され、前記増幅データを受信して、前記増幅データに従って画像を表示する表示装置
を含むオペレーティングシステム。
【請求項１３】
請求項８に記載のマザーボード、
前記第１のネットワーク接続ポートに接続されるネットワークケーブル、
前記ネットワークケーブルを介して前記出力データを受信し、前記出力データを受信するように構成された入力ポートと、前記出力データを増幅して増幅データを生成する信号処理装置と、前記増幅データを出力するように構成された出力ポートとを含む受信機、および
前記出力ポートに接続され、前記増幅データを受信して、前記増幅データに従って画像を表示する表示装置を
含むオペレーティングシステム。
【請求項１４】
前記受信機は前記表示装置に統合される請求項１２または請求項１３に記載のオペレーティングシステム。
【請求項１５】
外部電力を受け取り、前記信号処理装置に電力を供給するように構成された電源ジャックをさらに含む請求項１２または請求項１３に記載のオペレーティングシステム。
【発明の詳細な説明】
【技術分野】
【０００１】
本出願は、２０１９年５月３１日に出願された台湾特許出願番号第１０８１１８８５９号についての優先権を主張するものであり、これらの全ては引用によって本願に援用される。
【０００２】
本発明は、マザーボードに関するものであり、特に、ネットワーク伝送ポートを用いて画像データを出力するマザーボードに関するものである。
【背景技術】
【０００３】
現在のコンピュータホストとモニター間の接続のほとんどは、ビデオグラフィックアレイ（ＶＧＡ）ケーブルを用いている。近年、画像技術の進歩により、画像信号の解像度が向上している。しかしながら、従来の画像インターフェースは、高解像度画像信号の伝送帯域幅を提供することができない。
【０００４】
一般に、ほとんどの電子装置は、高解像度画像信号を伝送するための高解像度マルチメディアインターフェース（ＨＤＭＩ(登録商標)）規格に適合するインターフェースを有する。画像プレーヤー（例えば、モニターまたはプロジェクタ）とコンピューターの距離が遠いとき、ユーザーは通常、長いＨＤＭＩ伝送ケーブルを用いて画像プレーヤーとコンピューターを接続する。長いＨＤＭＩ伝送ケーブルを製造することは困難でるため、ケーブルの長さが長くなると、ケーブルの価格が高くなる。ユーザーにとってケーブルの価格は大きな負担である。
【発明の概要】
【発明が解決しようとする課題】
【０００５】
ネットワーク伝送ポートを用いて画像データを出力するマザーボードを提供する。
【課題を解決するための手段】
【０００６】
マザーボードの実施形態によれば、画像データを出力することができ、画像伝送ポート、オンボードビデオグラフィックアレイ（ＶＧＡ）カード、スイッチング回路、制御回路、および第１のネットワーク接続ポートを含む。画像伝送ポートは、外部画像信号を受信するように構成される。オンボードＶＧＡカードは、内部画像信号を提供するように構成される。スイッチング回路は、外部画像信号または内部画像信号を画像データとして選択的に用いる。制御回路は、画像データまたはイーサネットネットワークデータを出力データとして選択的に用いる。第１のネットワーク接続ポートは、出力データを伝送するように構成される。
【０００７】
本開示のもう１つの実施形態によれば、マザーボードは、画像データを出力することができ、画像伝送ポート、制御回路、および第１のネットワーク接続ポートを含む。画像伝送ポートは、外部画像信号を受信するように構成される。制御回路は、外部画像信号またはイーサネットネットワーク信号を出力信号として選択的に用いる。第１のネットワーク接続ポートは、出力信号を伝送するように構成される。
【図面の簡単な説明】
【０００８】
本発明は、添付の図面を参照しながら以下の詳細な説明及び例を読むことで、より完全に理解することができる。
【図１】図１は、本開示の様々な態様による、オペレーティングシステムの例示的な実施形態の概略図である。
【図２】図２は、本開示の様々な態様による、マザーボードの例示的な実施形態の概略図である。
【図３】図２は、本開示の様々な態様による、マザーボードのもう１つの例示的な実施形態の概略図である。
【図４】図４は、本開示の様々な態様による、オペレーティングシステムのもう1つの例示的な実施形態の概略図である。
【図５】図５は、本開示の様々な態様による、受信機の例示的な実施形態の概略図である。
【図６】図６は、本開示の様々な態様による、受信機のもう１つの例示的な実施形態の概略図である。
【発明を実施するための形態】
【０００９】
本発明は、特定の実施形態に関して、且つ特定の図面を参照して説明されるが、本発明はこれに限定されるものではなく、請求項によってのみ限定される。記載された図面は、単なる概略図であり、限定するものではない。図面では、いくつかの要素のサイズは、例示を目的として拡大され、縮尺通りに描かれない可能性がある。寸法および相対寸法は、本発明の実施における実際の寸法に対応していない。
【００１０】
図１は、本開示の様々な態様による、オペレーティングシステムの例示的な実施形態の概略図である。オペレーティングシステム１００は、マザーボード１１０および電子装置１２０を含む。マザーボード１１０は、画像データを出力することができ、少なくとも１つのネットワーク接続ポート１１１を含む。ネットワーク接続ポート１１１は、イーサネットネットワークデータＤＥＴＨまたは画像データＤＩＭを出力するように構成される。この実施形態では、イーサネットネットワークデータＤＥＴＨおよび画像データＤＩＭは、同じデータフォーマット、例えば、ネットワーク伝送フォーマットと適合する。したがって、ネットワーク接続ポート１１１は、イーサネットネットワークデータＤＥＴＨを出力することができるだけでなく、画像データＤＩＭも出力することができる。例えば、マザーボード１１０が第１のモードで動作するとき、ネットワーク接続ポート１１１は、イーサネットネットワークデータＤＥＴＨを出力する。マザーボード１１０が第２のモードで動作するとき、ネットワーク接続ポート１１１は画像データＤＩＭを出力する。
【００１１】
一実施形態では、ネットワーク接続ポート１１１は、ＲＪ４５コネクタである。本開示では、ネットワーク接続ポートの数は限定されない。もう1つの実施形態では、マザーボード１１０は、２つのネットワーク接続ポートを含むことができる。ネットワーク接続ポートの１つはイーサネットネットワークデータＤＥＴＨを伝送するように構成され、もう１つは画像データＤＩＭを伝送するように構成される。この場合、画像データＤＩＭのデータフォーマットは、イーサネットネットワークデータＤＥＴＨのデータフォーマットと同じである。
【００１２】
この実施形態では、ネットワークケーブル１３０は、ネットワーク接続ポート１１１と電子装置１２０との間に接続され、画像データＤＩＭまたはイーサネットネットワークデータＤＥＴＨを電子装置１２０に伝送する。ユーザーは、ネットワークケーブル１３０を用いて画像データＤＩＭおよびイーサネットネットワークデータＤＥＴＨを伝送することができるため、ユーザーは、追加の画像伝送ケーブルを購入する必要がない。さらに、ケーブル長が長くなるほど画像伝送ケーブルの価格が高くなるため、マザーボード１１０と電子装置１２０との間の距離が大きいとき、ユーザーは、低コストのネットワークケーブルを用いて、マザーボード１１０と電子装置１２０を接続することができる。したがって、オペレーティングシステムのコストが削減される。また、マザーボード１１０が単一の接続ポート（例えば、１１１）を用いて画像データＤＩＭとイーサネットネットワークデータＤＥＴＨを伝送するとき、接続ポートの数は減少されることができる。
【００１３】
電子装置１２０は、画像データＤＩＭまたはイーサネットネットワークデータＤＥＴＨに従って動作する。本開示では、電子装置１２０の種類は限定されない。 一実施形態では、電子装置１２０はサーバー１２１である。この場合、サーバー１２１がネットワークケーブル１３０を介してイーサネットネットワークデータＤＥＴＨを受信したとき、サーバー１２１は、イーサネットネットワークデータＤＥＴＨに従ってマザーボード１１０とインターネットとの間でデータを伝送する。
【００１４】
もう１つの実施形態では、電子装置１２０は、プロジェクタ１２２などの表示装置である。この場合、プロジェクタ１２２が、ネットワークケーブル１３０を介して画像データＤＩＭを受信したとき、プロジェクタ１２２は、画像データＤＩＭに応じた画像を投射する。この実施形態では、プロジェクタ１２２は、受信機１２３を含む。受信機１２３は、画像データＤＩＭを受信する。受信機１２３は、画像データＤＩＭをネットワーク伝送フォーマットから画像伝送フォーマットに変換し、次いで、画像伝送フォーマットと適合する変換された結果をプロジェクタ１２２に提供する。一実施形態では、画像フォーマットは、高解像度マルチメディアインターフェース（ＨＤＭＩ）規格と適合する。もう１つの実施形態では、画像フォーマットは、デジタルビジュアルインターフェース（ＤＶＩ）規格と適合する。
【００１５】
受信機１２３の位置は、本開示では限定されない。この実施形態では、受信機１２３は、プロジェクタ１２２に統合される。もう１つの実施形態では、受信機１２３は、プロジェクタ１２２の外側に独立して配置することができる。この場合、受信機１２３は、画像データＤＩＭのフォーマットを変換し、次いで、変換された画像データを画像伝送ケーブル（図示せず）を介してプロジェクタ１２２に提供する。
【００１６】
この実施形態では、マザーボード１１０は、画像伝送ポート１１２、オンボードビデオグラフィックアレイ（ＶＧＡ）カード１１３、スイッチング回路１１４、制御回路１１５、およびネットワークチップ１１６をさらに含むが、本開示は、それらに限定されない。もう１つの実施形態では、マザーボード１１０は、様々なメモリ、マイクロプロセッサ（例えば、ＣＰＵ）、マイクロコントローラをさらに含む。簡潔にするために、図１は、本発明に関連する要素および回路のみが示されている簡略化されたブロック図を示している。いくつかの実施形態では、マザーボード１１０はケース（図示せず）に配置される。この場合、ネットワーク接続ポート１１１の一部と画像伝送ポート１１２の一部は、筐体の外部に露出するため、ユーザーがネットワークケーブル１３０と伝送ケーブル１４０をネットワーク接続ポート１１１と画像伝送ポート１１２内に挿入することができる。
【００１７】
画像伝送ポート１１２は、伝送ケーブル１４０を介して外部画像信号ＩＭＥを受信する。もう１つの実施形態では、画像伝送ポート１１２は、無線方法を用いて、外部画像信号ＩＭＥを受信する。画像伝送ポート１１２の種類は、本開示では限定されない。一実施形態では、画像伝送ポート１１２は、ＨＤＭＩポートである。もう１つの実施形態では、画像伝送ポート１１２は、ＤＶＩポートである。
【００１８】
外部画像信号ＩＭＥのソースは、本開示では限定されない。一実施形態では、外部画像信号ＩＭＥは、電子装置（図示せず）、例えば、携帯電話、ゲームコンソール、または画像を出力することができる他の装置によって提供される。もう１つの実施形態では、外部画像信号ＩＭＥは、別のマザーボードに配置されたＶＧＡカード（図示せず）によって提供される。本開示では、画像伝送ポートの数は限定されない。いくつかの実施形態では、マザーボード１１０は、より多いまたはより少ない画像伝送ポートを含んで、異なる外部画像信号を受信することができる。
【００１９】
オンボードＶＧＡカード１１３は、内部画像信号ＩＭＩを提供するように構成される。一実施形態では、オンボードＶＧＡカード１１３はマザーボード１１０に組み込まれるが、本開示はそれに限定されない。もう１つの実施形態では、マザーボード１１０は、オンボードＶＧＡカード１１３を含まない。
【００２０】
スイッチング回路１１４は、外部画像信号ＩＭＥまたは内部画像信号ＩＭＩを画像データＤＩＭとして選択的に用いる。本実施形態では、スイッチング回路１１４は、選択信号ＳＳＥＬ１に応じて、外部画像信号ＩＭＥまたは内部画像信号ＩＭＩを選択的に出力する。例えば、選択信号ＳＳＥＬ１が第１のレベル（例えば、ハイレベル）にあるとき、スイッチング回路１１４は、外部画像信号ＩＭＥを画像データＤＩＭとして機能させ、外部画像信号ＩＭＥを制御回路１１５に提供する。選択信号ＳＳＥＬ１が第２のレベル（例えば、ローレベル）にあるとき、スイッチング回路１１４は、内部画像信号ＩＭＩを画像データＤＩＭとして用い、内部画像信号ＩＭＩを制御回路１１５に提供する。もう１つの実施形態では、マザーボード１１０がより多くの画像伝送ポートを含むとき、スイッチング回路１１４は、選択信号ＳＳＥＬ１に従って様々な画像信号から１つの画像信号を選択する。
【００２１】
一実施形態では、選択信号ＳＳＥＬ１は、スイッチＳＷ１によって提供される。この場合、ユーザーは、スイッチＳＷ１を切り替えて画像データのソースを選択する。例えば、画像データは、画像伝送ポート１１２またはオンボードＶＧＡカード１１３から提供されることができる。一実施形態では、スイッチＳＷ１は、ユーザーが切り替えられるようにケースの外側に配置される。もう１つの実施形態では、マザーボード１１０がオンボードＶＧＡカード１１３を含まないとき、スイッチング回路１１４は省略されることができる。この場合、外部画像信号ＩＭＥが直接画像データＤＩＭとなる。
【００２２】
制御回路１１５は、画像データＤＩＭまたはイーサネットネットワークデータＤＥＴＨを出力データＳＯとして選択的に用いる。この実施形態では、制御回路１１５は、選択信号ＳＳＥＬ２に従って画像データＤＩＭまたはイーサネットネットワークデータＤＥＴＨを選択する。例えば、選択信号ＳＳＥＬ２が第１のレベルにあるとき、マザーボード１１０は第１のモードで動作する。このとき、制御回路１１５は、イーサネットネットワークデータＤＥＴＨを出力データＳＯとして用いて、ネットワーク接続ポート１１１を介してイーサネットネットワークデータＤＥＴＨを出力する。選択信号ＳＳＥＬ２が第２のレベルにあるとき、マザーボード１１０は第２のモードで動作する。このモードでは、制御回路１１５は、画像データＤＩＭを出力データＳＯとして用いて、ネットワーク接続ポート１１１を介して画像データＤＩＭを出力する。
【００２３】
一実施形態では、選択信号ＳＳＥＬ２は、スイッチＳＷ２によって提供される。この場合、ユーザーは、スイッチＳＷ２を切り替えて、ネットワーク接続ポート１１１に画像データＤＩＭまたはイーサネットネットワークデータＤＥＴＨを出力させる。一実施形態では、スイッチＳＷ２は、ユーザーが切り替えられるようにケースの外側に配置される。もう１つの実施形態では、選択信号ＳＳＥＬ１およびＳＳＥＬ２は、基本入出力システム（ＢＩＯＳ）によって提供される。この場合、ユーザーは、ＢＩＯＳのオプションを選択して、画像データＤＩＭのソースおよび出力データＳＯのソースを選択する。ＢＩＯＳは、選択されたオプションに従って選択信号ＳＳＥＬ１およびＳＳＥＬ２を生成する。一実施形態では、マザーボード１１０は、ネットワークチップ１１６をさらに含む。ネットワークチップ１１６は、イーサネットネットワークデータＤＥＴＨを生成するように構成される。
【００２４】
図２は、本開示の様々な態様による、マザーボードのもう１つの例示的な実施形態の概略図である。図２は、図２のマザーボード２１０がスロット２２０をさらに含むことを除いて、図１と同様である。スロット２２０は、ＶＧＡカード２３０を収容するように構成される。ＶＧＡカード２３０は、画像処理チップ２３１および画像出力ポート２３２を含む。画像処理チップ２３１は、画像信号ＩＭＤを生成するように構成される。伝送ケーブル２４０が画像伝送ポート１１２と画像出力ポート２３２との間に接続されたとき、画像伝送ポート１１２は、伝送ケーブル２４０を介して画像信号ＩＭＤを受信する。この場合、画像伝送ポート１１２は、画像信号ＩＭＤを外部画像信号ＩＭＥとして用いて、画像信号ＩＭＤをスイッチング回路１１４に提供する。
【００２５】
図３は、本開示の様々な態様による、マザーボードのもう１つの例示的な実施形態の概略図である。図３は、オンボードＶＧＡカードがマザーボード３１０にないことを除いて、図２と同様である。マザーボード３１０には単一の画像ソース（すなわち、画像伝送ポート１１２）があるため、マザーボード３１０にスイッチング回路は配置されない。この場合、画像伝送ポート１１２は、伝送ケーブル２４０を介して画像信号ＩＭＤを受信し、画像信号ＩＭＤを画像データＤＩＭとして用いて、画像信号ＩＭＤを制御回路１１５に提供する。もう１つの実施形態では、伝送ケーブル２４０が電子装置（図示せず）と画像伝送ポート１１２との間に接続されたとき、画像伝送ポート１１２は、電子装置によって提供された画像信号を画像データＤＩＭとして用いる。
【００２６】
この実施形態では、マザーボード３１０は、信号増幅回路（ｓｉｇｎａｌ  ｅｎｈａｎｃｅｍｅｎｔ  ｃｉｒｃｕｉｔ）３２０をさらに含む。信号増幅回路３２０は、画像データＤＩＭを増幅し、増幅データＤＥＩＭを生成するように構成される。この場合、制御回路１１５は、選択信号ＳＳＥＬ２に従って、増幅データＤＥＩＭまたはイーサネットネットワークデータＤＥＴＨを出力データＳＯとして用いる。画像データＤＩＭが増幅されたため、出力データＳＯが遠隔の電子装置に伝送されたとき、マザーボード３１０と遠隔の電子装置との間の距離が５０メートルまたは１００メートルでも、マザーボード３１０は出力データＳＯを安定して伝送し、出力データＳＯの整合性を維持することができる。
【００２７】
一実施形態では、信号増幅回路３２０は、リドライバまたはリタイマである。もう１つの実施形態では、信号増幅回路３２０は、図１または図２に適用されて画像データＤＩＭを増幅させることができる。
【００２８】
図４は、本開示の様々な態様による、オペレーティングシステムのもう１つの例示的な実施形態の概略図である。オペレーティングシステム４００は、マザーボード４１０および電子装置４２０を含む。マザーボード４１０は、図４のマザーボード４１０が２つのネットワーク接続ポート４１１および４１２を含むことを除いて、図１に示されたマザーボード１１０と同様である。
【００２９】
この実施形態では、ネットワーク接続ポート４１１および４１２の少なくとも１つは、共通接続ポートである。共通接続ポートは、ネットワークデータと画像データを出力することができる。マザーボード４１０が第１のモードで動作するとき、ネットワーク接続ポート４１１はイーサネットネットワークデータＤＥＴＨを出力する。マザーボード４１０が第２のモードで動作するとき、ネットワーク接続ポート４１１は画像データＤＤＩＭを出力する。このとき、ネットワーク接続ポート４１２は、制御データＤＣＩＭを出力する。もう１つの実施形態では、マザーボード４１０は、イーサネットネットワークデータＤＥＴＨのみを出力するように構成された第３のネットワーク接続ポート（図示せず）をさらに含むことができる。この場合、第３のネットワーク接続ポートは画像データを出力しない。
【００３０】
本実施形態では、ネットワーク接続ポート４１１で伝送されたイーサネットネットワークデータＤＥＴＨのデータフォーマットは、画像データＤＤＩＭのデータフォーマットと同じである。一実施形態では、イーサネットネットワークデータＤＥＴＨおよび画像データＤＤＩＭのデータフォーマットは、ネットワーク伝送フォーマットと適合する。もう１つの実施形態では、イーサネットネットワークデータＤＥＴＨおよび画像データＤＤＩＭのそれぞれは、４対の差動信号を含む。
【００３１】
図４に示されるように、オペレーティングシステム４００は、ネットワークケーブル４３０および４４０をさらに含む。ネットワークケーブル４３０は、ネットワーク接続ポート４１１と電子装置４２０との間に接続され、画像データＤＤＩＭおよびイーサネットネットワークデータＤＥＴＨを伝送する。ネットワークケーブル４４０は、ネットワーク接続ポート４１２と電子装置４２０との間に接続され、制御データＤＣＩＭを伝送する。
【００３２】
例えば、電子装置４２０がサーバー４２１であるとき、マザーボード４１０は第１の動作モードで動作する。このモードでは、ネットワーク接続ポート４１１はイーサネットネットワークデータＤＥＴＨを出力する。したがって、サーバー４２１は、ネットワークケーブル４３０を介してイーサネットネットワークデータＤＥＴＨを受信する。もう１つの実施形態では、電子装置４２０がプロジェクタ４２２であるとき、ネットワーク接続ポート４１１は画像データＤＤＩＭを出力する。したがって、プロジェクタ４２２は、ネットワークケーブル４３０を介して画像データＤＤＩＭを受信する。このとき、ネットワーク接続ポート４１２は、制御データＤＣＩＭを出力する。したがって、プロジェクタ４２２は、ネットワークケーブル４４０を介して制御データＤＣＩＭを受信する。プロジェクタ４２２は、画像データＤＤＩＭおよび制御データＤＣＩＭに従って画像を表示する。この場合、プロジェクタ４２２は、受信機４２３を有する。受信機４２３は、画像データＤＤＩＭおよび制御データＤＣＩＭのデータフォーマットをネットワーク伝送フォーマットから画像伝送フォーマットに変換する。次いで、プロジェクタ４２２は、受信機４２３の変換結果に従って画像を表示する。受信機４２３は、プロジェクタに統合されることができる。もう１つの実施形態では、受信機４２３は、プロジェクタ４２２の外側に独立して配置される。この場合、受信機４２３は、画像伝送ケーブル（図示せず）を介してプロジェクタ４２２を接続する。
【００３３】
この実施形態では、マザーボード４１０は、画像伝送ポート４１３、スイッチング回路４１４、オンボードＶＧＡカード４１５、制御回路４１６、およびスロット４１７をさらに含む。画像伝送ポート４１３は、外部画像信号ＩＭＥを受信するように構成される。この実施形態では、外部画像信号ＩＭＥは、ＶＧＡカード４６０から提供される。画像伝送ポート４１３、スロット４１７、およびＶＧＡカード４６０の特徴は、図２に示される画像伝送ポート１１２、スロット２２０、およびＶＧＡカード２３０の特徴と同じであるため、画像伝送ポート４１３、スロット４１７、およびＶＧＡカード４６０の特徴の説明は省略される。
【００３４】
スイッチング回路４１４は、選択信号ＳＳＥＬ１に従って画像データのソースを選択する。一実施形態では、スイッチング回路４１４は、選択信号ＳＳＥＬ１に従って外部画像信号ＩＭＥを選択する。この場合、スイッチング回路４１４は、外部画像信号ＩＭＥの差動成分（ｄｉｆｆｅｒｅｎｔｉａｌ  ｃｏｍｐｏｎｅｎｔ）を画像データＤＤＩＭとして用い、画像データＤＤＩＭを制御回路４１６に提供する。さらに、スイッチング回路４１４は、外部画像信号ＩＭＥの制御成分（ｃｏｎｔｒｏｌ  ｃｏｍｐｏｎｅｎｔ）を制御データＤＣＩＭとして用いて、制御データＤＣＩＭをネットワーク接続ポート４１２に提供する。もう１つの実施形態では、スイッチング回路４１４は、選択信号ＳＳＥＬ１に従って内部画像信号ＩＭＩを選択する。この場合、スイッチング回路４１４は、内部画像信号ＩＭＩの差動成分を画像データＤＤＩＭとして用いて、画像データＤＤＩＭを制御回路４１６に提供する。さらに、スイッチング回路４１４は、内部画像信号ＩＭＩの制御成分を制御データＤＣＩＭとして用いて、制御データＤＣＩＭをネットワーク接続ポート４１２に提供する。
【００３５】
内部画像信号ＩＭＩおよび外部画像信号ＩＭＥのそれぞれは、ＨＤＭＩ画像信号であるとする。ＨＤＭＩ画像信号は、ＤＡＴＡ０＋／−、ＤＡＴＡ１＋／−、ＤＡＴＡ２＋／−、およびＣＬＫ＋／−などの差動成分、およびＣＥＤ／ＤＤＣ、ＳＬＣ／ＳＤＡ、＋５Ｖ、およびホットプラグなどの制御成分を有する。この場合、スイッチング回路４１４は、差動成分のＤＡＴＡ０＋／−、ＤＡＴＡ１＋／−、ＤＡＴＡ２＋／−、およびＣＬＫ＋／−を画像データＤＤＩＭとして用い、制御成分のＣＥＤ／ＤＤＣ、ＳＬＣ／ＳＤＡ、＋５Ｖ、およびホットプラグを制御データＤＣＩＭとして用いる。
【００３６】
もう１つの実施形態では、制御データＤＣＩＭは、制御回路４１６によって提供される。この場合、制御データＤＣＩＭは、制御回路４１６に予め記憶されている。ユーザーがネットワーク接続ポート４１１に画像データＤＤＩＭを出力するように指示したとき、制御回路４１６は、所定の制御データＤＣＩＭをネットワーク接続ポート４１２に出力する。
【００３７】
いくつかの実施形態では、制御回路４１６は、所定の制御データＤＣＩＭを画像伝送ポート４１３またはオンボードＶＧＡカード４１５に出力して、外部画像信号ＩＭＥまたは内部画像信号ＩＭＩの制御成分を設定する。例えば、スイッチング回路４１４が外部画像信号ＩＭＥを選択して出力したとき、制御回路４１６は、制御データＤＣＩＭを画像伝送ポート４１３に提供する。この場合、画像伝送ポート４１３は、伝送ケーブル４５０を介して制御データＤＣＩＭをＶＧＡカード４６０に提供する。ＶＧＡカード４６０は、制御データＤＣＩＭに従って外部画像信号ＩＭＥを調整する。もう１つの実施形態では、スイッチング回路４１４が内部画像信号ＩＭＩを選択して出力したとき、制御回路４１６は、制御データＤＣＩＭをオンボードＶＧＡカード４１５に提供する。この場合、オンボードＶＧＡカード４１５は、制御データＤＣＩＭに従って内部画像信号ＩＭＩを調整することができる。もう１つの実施形態では、信号増幅回路３２０が図４に適用されることができる。そのような場合、信号増幅回路３２０は、画像データＤＤＩＭを増幅し、次いで、増幅された結果を制御回路４１６に提供するように構成される。
【００３８】
図５は、本開示の様々な態様による、受信機１２３の例示的な実施形態の概略図である。図５に示されるように、受信機１２３は、ネットワーク接続ポート５１０、画像伝送ポート５２０、および信号処理装置５３０を含む。ネットワーク接続ポート５１０は、マザーボードから出力データＳＯを受信するように構成される。この実施形態では、出力データＳＯは画像データＤＩＭである。信号処理装置５３０は、画像データＤＩＭのフォーマットをネットワーク伝送フォーマットから画像伝送フォーマットに変換して画像データＤＨＤを生成する。本実施形態では、画像データＤＨＤは、ＨＤＭＩ規格と適合する。画像伝送ポート５２０は、画像データＤＨＤを伝送するように構成される。
【００３９】
この実施形態では、信号処理装置５３０は、信号増幅回路（図示せず）を含んで、画像データＤＨＤを増幅して、増幅データＤＨＤＥを生成する。この場合、画像伝送ポート５２０は、増幅データＤＨＤＥを出力する。一実施形態では、信号増強回路は、リドライバまたはリタイムである。
【００４０】
もう１つの実施形態では、受信機１２３は、電源ジャック５４０をさらに含む。電源ジャック５４０は、外部電力ＰＷＥを受け取り、外部電力ＰＷＥを信号処理装置５３０に提供するように構成される。一実施形態では、外部電力ＰＷＥは、ＤＣ電力である。
【００４１】
図６は、本開示の様々な態様による、受信機４２３のもう１つの例示的な実施形態の概略図である。受信機４２３は、ネットワーク接続ポート６１０、６５０、画像伝送ポート６２０、信号処理装置６３０、および電源ジャック６４０を含む。ネットワーク接続ポート６１０は、画像データＤＤＩＭを受信する。ネットワーク接続ポート６５０は、制御データＤＣＩＭを受信する。信号処理装置６３０は、画像データＤＤＩＭおよび制御データＤＣＩＭを処理して、ＨＤＭＩ規格に適合する画像データＤＨＤを生成する。画像伝送ポート６２０は、画像データＤＨＤを出力するように構成される。もう１つの実施形態では、信号処理装置６３０は、信号増幅回路（図示せず）を含む。信号強調回路は、画像データＤＨＤを増幅して、増幅データＤＨＤＥを生成するように構成される。この場合、画像伝送ポート６２０は、増幅データＤＨＤＥを出力する。
【００４２】
他の実施形態では、受信機４２３は、電源ジャック６４０をさらに含む。電源ジャック６４０は、外部電力ＰＷＥを受け取り、外部電力ＰＷＥを信号処理装置６３０に提供するように構成される。一実施形態では、外部電力ＰＷＥは、ＤＣ電力であるが、本開示はそれに限定されない。いくつかの実施形態では、外部電力ＰＷＥはＡＣ電力である。この場合、信号処理装置６３０は、電力変換器（図示せず）を含むことができる。電力変換器は、ＡＣ電力をＤＣ電力に変換するように構成される。電力変換器は、ＤＣ電力を信号処理装置６３０の他の要素に提供することができる。
【００４３】
特に定義されない限り、本明細書で使用される全ての用語（技術的及び科学的用語を含む）は、本発明が属する技術分野の当業者によって一般的に理解されるのと同じ意味を有する。さらに、一般的に使用される辞書に定義されているような用語は、関連技術の文脈における意味と一致する意味を有するものと解釈されるべきであり、本明細書で明示的に定義されていない限り、理想化された又は過度に形式的な意味で解釈されない。
【００４４】
本開示は、実施例の方法を用いて、且つ実施形態の観点から記述されてきたが、本開示は開示された実施形態に限定するものではないということを理解されたい。逆に、（当業者には明らかであるように）種々の変更及び同様の配置を含むように意図される。例えば、システム、デバイス、および方法は、ソフトウェア、ハードウェア、ファームウェア、またはそれらの任意の組合せで実現できることを理解されたい。よって、添付の特許請求の範囲は、全てのそのような変更および類似の配置を包含するように、最も広義な解釈が与えられるべきである。
【符号の説明】
【００４５】
１００、４００  オペレーティングシステム
１１０、２１０、４１０  マザーボード
１１１、４１１、４１２、５１０、６１０、６５０  ネットワーク接続ポート
１１２、４１３、５２０、６２０  画像伝送ポート
１１３、４１５  オンボードビデオグラフィックアレイ（ＶＧＡ）カード
１１４、４１４  スイッチング回路
１１５、４１６  制御回路
１１６  ネットワークチップ
１２０、４２０  電子装置
１２１、４２１  サーバー
１２２、４２２  プロジェクタ
１２３、４２３  受信機
１３０、４３０、４４０  ネットワークケーブル
１４０、４５０  伝送ケーブル
２２０、４１７  スロット
２３０、４６０  ＶＧＡカード
２３１  画像処理チップ
２３２  画像出力ポート
３２０  信号増幅回路
５３０、６３０  信号処理装置
５４０、６４０  電源ジャック
ＤＥＴＨ  イーサネットネットワークデータ
ＩＭＥ  外部画像信号
ＩＭＩ  内部画像信号
ＳＳＥＬ１、ＳＳＥＬ２  選択信号
ＳＷ１、ＳＷ２  スイッチ
ＳＯ  出力データ
ＤＣＩＭ  制御データ
ＰＷＥ  外部電力
ＤＩＭ、ＤＤＩＭ、ＤＨＤ  画像データ
ＩＭＤ  画像信号
ＤＥＩＭ、ＤＨＤＥ  増幅データ
【図１】
2020198609.tif 000003
【図２】
2020198609.tif 000004
【図３】
2020198609.tif 000005
【図４】
2020198609.tif 000006
【図５】
2020198609.tif 000007
【図６】
2020198609.tif 000008
【外国語明細書】
2020198609.tif 000009
2020198609.tif 000010
2020198609.tif 000011
2020198609.tif 000012
2020198609.tif 000013
2020198609.tif 000014
2020198609.tif 000015
2020198609.tif 000016
2020198609.tif 000017
2020198609.tif 000018
2020198609.tif 000019
2020198609.tif 000020
2020198609.tif 000021
2020198609.tif 000022
2020198609.tif 000023
2020198609.tif 000024
2020198609.tif 000025
2020198609.tif 000026
【図１】
2020198609.tif 000027
【図２】
2020198609.tif 000028
【図３】
2020198609.tif 000029
【図４】
2020198609.tif 000030
【図５】
2020198609.tif 000031
【図６】
2020198609.tif 000032